(57)【要約】      （修正有）【課題】光源からの光の利用効率を高く維持すると共に出射する光の輝度を均一にすることが可能な発光装置を提供する。【解決手段】発光装置１は、光を発する発光素子であるＬＥＤ２と、ＬＥＤ２から発せられる光が入射する入射部３、および入射部３から入射した光の一部を反射し一部を透過する反射面６、およびＬＥＤ２が配置される側とは反対側に位置し反射面６で反射された光が出射される出射面４を有する導光体５と、出射面４および反射面６とは反対側の面から漏れ出る光を導光体５内に戻す反射部材としての反射板１１と、を有する発光装置１であって、反射面６には、反射面６に入射する光の一部を透過し、他の一部を反射する光一部反射層１４が備えられている。【選択図】図５
2011249141.tif 000002
【特許請求の範囲】
【請求項１】
光を発する発光素子と、
上記発光素子から発せられる上記光が入射する入射部、および上記入射部から入射した上記光の一部を反射し一部を透過する反射面、および上記発光素子が配置される側とは反対側に位置し上記反射面で反射された上記光が出射される出射面を有する導光体と、
上記出射面および上記反射面とは反対側の面から漏れ出る光を上記導光体内に戻す反射部材と、
を有する発光装置であって、
上記反射面には、上記反射面に入射する光の一部を透過し、他の一部を反射する光一部反射層が備えられていることを特徴とする発光装置。
【請求項２】
請求項１に記載の発光装置において、
前記出射面には、上記出射面に入射する光の一部を透過し、他の一部を反射する光一部反射層が備えられていることを特徴とする発光装置。
【請求項３】
請求項２に記載の発光装置において、
前記光一部反射層は、前記発光素子発光面の中心を通る中心線の周囲に、前記光を反射する光反射部と前記光を透過する光透過部とが交互に同心円状に配置されていることを特徴とする発光装置。
【請求項４】
請求項１に記載の発光装置において、
前記光一部反射層は、前記光に対して透過性を有するインク層を有していることを特徴とする発光装置。
【請求項５】
請求項２に記載の発光装置において、
前記光反射部は、前記光に対して透過性を有するインク層を有していることを特徴とする発光装置。
【請求項６】
請求項１から４のいずれか１項に記載の発光装置において、
前記光一部反射層は、前記中心線から周囲に向かうに従い、前記光を透過する割合が大きくなっていることを特徴とする発光装置。
【発明の詳細な説明】
【技術分野】
【０００１】
本発明は、発光装置に関する。
【背景技術】
【０００２】
ＬＥＤ（Light Emitting Diode）を光源に用いた発光装置としては、以下のものが提案されている。この発光装置は、光源からの光を高い効率で利用しながら、光学反射板から所定の距離離れた面において均一な照明光を得るためのものである。この発光装置は、底面部と、側壁部と、開口部を有している。そして、底面部と所定の距離を隔てて配置された光学反射板を備えている。そして、開口部は、あらかじめ設定した所定の領域の面積に対する領域における開口部の面積の比率を開口率Ａとし、ｂ、ｃを定数、ｘを光学反射板の中心からの距離としたとき、概略
Ａ＝ｂｘ２＋ｃ
の関係を有している。そして、開口部は、光学反射板の中心に同心円状の未貫通孔、その外側に同心円状の円弧孔、さらにその外側に複数の丸孔を備えている。（特許文献１参照）。
【先行技術文献】
【特許文献】
【０００３】
【特許文献１】特開２００９−１１０６９６号公報
【発明の概要】
【発明が解決しようとする課題】
【０００４】
特許文献１に記載されている発光装置は、光学反射板による反射を繰り返すため、光源から出射される光の利用の効率が十分となり難い。特に、光学反射板により反射した光がＬＥＤに戻り光となって入射すると、ＬＥＤを構成する蛍光体に光が吸収されてしまう。そのため光の利用効率が減少することとなる。
【０００５】
そこで、本発明の目的は、光源からの光の利用効率を高く維持すると共に出射する光の照度を均一にすることが可能な発光装置を提供することである。
【課題を解決するための手段】
【０００６】
上記目的を達成するため、本発明の発光装置は、光を発する発光素子と、発光素子から発せられる光が入射する入射部、および入射部から入射した光の一部を反射し一部を透過する反射面、および発光素子が配置される側とは反対側に位置し反射面で反射された光が出射される出射面を有する導光体と、出射面および反射面とは反対側の面から漏れ出る光を導光体内に戻す反射部材と、を有する発光装置であって、反射面には、反射面に入射する光の一部を透過し、他の一部を反射する光一部反射層が備えられている。
【０００７】
ここで、出射面には、出射面に入射する光の一部を透過し、他の一部を反射する光一部反射層が備えられていることが好ましい。
【０００８】
光一部反射層は、発光素子発光面の中心を通る中心線の周囲に、光を反射する光反射部と光を透過する光透過部とが交互に同心円状に配置されていることが好ましい。
【０００９】
光一部反射層は、光に対して透過性を有するインク層を有していることが好ましい。
【００１０】
光反射部は、光に対して透過性を有するインク層を有していることが好ましい。
【００１１】
光一部反射層は、中心線から周囲に向かうに従い、光を透過する割合が大きくなっていることが好ましい。
【発明の効果】
【００１２】
本発明では、光源からの光の利用効率を高く維持すると共に出射する光の照度を均一にすることが可能な発光装置を提供することができる。
【図面の簡単な説明】
【００１３】
【図１】本発明の実施の形態に係る発光装置の構成を示す斜視図である。
【図２】図１に示す発光装置１の縦断面図である。
【図３】図１および図２に示す導光体中の光散乱粒子となるシリコーン粒子の散乱原理を示す図で、単一真球粒子による散乱光強度の角度分布（Α、Θ）を示すグラフである。
【図４】図１に示す発光装置のうち光一部反射層の部分を簡略に示す平面図である。
【図５】ＬＥＤから出射した光の光路の例を示す図である。
【発明を実施するための形態】
【００１４】
以下、本発明の実施の形態に係る発光装置の構成およびその作用について、図面を参照しながら説明する。
【００１５】
（発光装置の構成）
図１は、本発明の実施の形態に係る発光装置１の構成を示す斜視図である。図２は、図１に示す発光装置１の縦断面図である。発光装置１は、光を発する発光素子となるＬＥＤ２と、導光体５と、反射板１１とを有している。導光体５は、ＬＥＤ２から発せられる光が入射する入射部３を有している。導光体５には、後述するシリコーン粒子が含有されている。そのため、入射部３から入射した光は、導光体５の内部で拡散される。拡散された光の一部は、ＬＥＤ２が配置される側とは反対側の面となる出射面４から出射する。入射部３は、導光体５のＬＥＤ２と対向する側の面である裏面の中央部に位置している。出射面４は、ＬＥＤ２が配置されている側と反対側の面である表側の面である。また、導光体５は、反射面６を有している。反射面６では、反射面６に入射した光の一部が出射面４に向けて全反射される。全反射されない光は、後述するインク層１９に入射する。インク層１９では、一部の光がインク層１９を透過し、他の一部の光は再び導光体５内に向けて反射される。なお、ＬＥＤ２は、図１において導光体５の裏側に配置されている。そして、入射部３は、図１において導光体５の裏側面に位置している。反射面６は、図１において導光体５の表側面に位置している。入射部３と反射面６は、導光体５の表裏において互いに対向する位置に配置されている。
【００１６】
導光体５は、透明のポリメチルメタクリレート（以下、「ＰＭＭＡ」と略記する。）からなる樹脂成形体である。導光体５は、扁平した円錐体を４方において切除された形態を呈している。切除部分の端面が端部７に当たり、導光体５を表面側（出射面４側）から見た外周の形状は、正方形となっている。出射面４は、平面とされている。反射面６は、出射面４の面から円錐状に陥没する球分形を呈している。また、出射面４とは反対側の傾斜面８は、入射部３側から端部７側に向かうに従い図１および図２における上側に傾斜する面とされている。入射部３は、導光体５の裏側面の中央部に位置する円形状の平面である。
【００１７】
この導光体５には、シリコーン粒子が含有されている。以下、導光体５に含有されているシリコーン粒子について説明する。このシリコーン粒子は、体積的に一様な散乱能が与えられた導光体であり、散乱微粒子としての球形粒子を多数含んでいる。導光体５の内部に光が入射すると、その光は散乱微粒子によって散乱することになる。
【００１８】
ここで、シリコーン粒子の理論的な基礎を与えるＭｉｅ散乱理論について説明する。Ｍｉｅ散乱理論は、一様な屈折率を有する媒体（マトリックス）中に該媒体と異なる屈折率を有する球形粒子（散乱微粒子）が存在するケースについてマックスウェルの電磁方程式の解を求めたものである。光散乱粒子に相当する散乱微粒子によって散乱した散乱光の角度に依存した強度分布Ｉ（Α、Θ）は下記（１）式で表される。Αは、散乱微粒子の光学的大きさを示すサイズパラメータであり、マトリックス中での光の波長λで規格化された球形粒子（散乱微粒子）の半径ｒに相当する量である。角度Θは散乱角で、入射光の進行方向と同一方向をΘ＝１８０°にとる。
【００１９】
また、（１）式中のｉ１、ｉ２は（４）式で表される。そして、（２）〜（４）式中の下添字ν付のａおよびｂは（５）式で表される。上添字１および下添字νを付したＰ（ｃｏｓΘ）は、Ｌｅｇｅｎｄｒｅの多項式、下添字ν付のａ、ｂは１次、２次のＲｅｃａｔｔｉ−Ｂｅｓｓｅｌ関数Ψ＊、ζ＊（ただし、「＊」は下添字νを意味する。）とその導関数とからなる。ｍはマトリックスを基準にした散乱微粒子の相対屈折率で、ｍ＝ｎｓｃａｔｔｅｒ／ｎｍａｔｒｉｘである。
【００２０】
【数１】
2011249141.tif 000003
【００２１】
図３は、上記（１）〜（５）式に基づいて、単一真球粒子による強度分布Ｉ（Α、Θ）を示すグラフである。この図３では、原点Ｇの位置に散乱微粒子としての真球粒子があり、下方から入射光が入射した場合の散乱光強度の角度分布Ｉ（Α、Θ）を示している。そして、原点Ｇから各曲線までの距離が、それぞれの散乱角方向の散乱光強度である。ひとつの曲線はΑが１．７であるときの散乱光強度、別の曲線はΑが１１．５であるときの散乱光強度、さらに別の曲線はΑが６９．２であるときの散乱光強度である。なお、図３においては、散乱光強度を対数目盛で示している。このため、図３では僅かな強度差として見える部分が、実際には非常に大きな差となる。
【００２２】
この図３に示すように、サイズパラメータΑが大きくなればなるほど（ある波長λで考えた場合は真球粒子の粒径が大きくなればなるほど）、上方（照射方向の前方）に対して指向性高く光が散乱されていることがわかる。また、実際のところ、散乱光強度の角度分布Ｉ（Α、Θ）は、入射光波長λを固定すれば、散乱子の半径ｒと、媒体および散乱微粒子の相対屈折率ｍとをパラメータとして制御することができる。なお、導光体５は、前方散乱が大きいものである。
【００２３】
このような、単一真球粒子がＮ個含まれる光散乱導光体に光を入射させると、光は真球粒子により散乱される。散乱光は光散乱導光体中を進み、他の真球粒子により再度散乱される。ある程度以上の体積濃度で粒子を添加した場合には、このような散乱が逐次的に複数回行われた後、光が光散乱導光体から出射する。このような散乱光がさらに散乱されるような現象を多重散乱現象と呼ぶ。このような多重散乱においては、透明ポリマーでの光線追跡法による解析は容易ではない。しかし、モンテカルロ法により光の挙動を追跡し、その特性を解析することはできる。それによると、入射光が無偏光の場合、散乱角の累積分布関数Ｆ（Θ）は下記の（６）式で表される。
【００２４】
【数２】
2011249141.tif 000004
【００２５】
ここで（６）式中のＩ（Θ）は、（１）式で表されるサイズパラメータΑの真球粒子の散乱強度である。強度Ｉｏの光が光散乱導光体に入射し、距離ｙを透過した後、光の強度が散乱によりＩに減衰したとすると、これらの関係は下記の（７）式で表される。
【００２６】
【数３】
2011249141.tif 000005
【００２７】
この（７）式中のτは濁度と呼ばれ、媒体の散乱係数に相当するものであり、下記の（８）式のように粒子数Ｎに比例する。なお、（８）式中、σｓは散乱断面積である。
【００２８】
【数４】
2011249141.tif 000006
【００２９】
（７）式から長さＬの光散乱導光体を散乱せずに透過する確率Ｐｔ（Ｌ）は下記の（９）式で表される。
【００３０】
【数５】
2011249141.tif 000007
【００３１】
反対に光路長Ｌまでに散乱される確率Ｐｓ（Ｌ）は下記の（１０）式で表される。
【数６】
2011249141.tif 000008
【００３２】
これらの式からわかるように、濁度τを変えることにより、光散乱導光体内での多重散乱の度合いを制御することができる。
【００３３】
以上の関係式により、散乱微粒子のサイズパラメータΑと濁度τとの少なくとも１つをパラメータとして、光散乱導光体内での多重散乱を制御可能であり、出射面６における出射光強度と散乱角も適正に設定可能である。
【００３４】
ここで、導光体５に含有されている光散乱粒子は、平均粒径が２．４μｍの透光性のシリコーン粒子である。また、光散乱粒子による散乱係数に相当する散乱パラメータである濁度τは、τ＝０．４９（λ＝５５０ｎｍ）である。
【００３５】
また、導光体５の入射部３および傾斜面８側には、樹脂成形物からなる板状の白い反射板１１が配置されている。この反射板１１の反射面１２は、傾斜面８と平行となっている。この反射板１１は、出射面４とは反対側の面である傾斜面８から出射する光を反射面１２により反射することにより導光体５内に戻す反射部材である。
【００３６】
また、導光体５の反射面６および出射面４には、反射面６および出射面４から出射される光の一部を透過し、他の一部を反射する光一部反射層１４が備えられている。
【００３７】
図４は、図１に示す発光装置１のうち光一部反射層１４の部分を簡略に示す平面図である。出射面４に形成された光一部反射層１４は、光反射部１５と光透過部１６とにより形成されている。光反射部１５と光透過部１６とは、ＬＥＤ２の発光面の中心を通る中心線Ｘ（仮想線）を中心として、交互に同心円状に配置されている。光反射部１５は、顔料に白色の粉末を用いたインク層により形成される。光透過部１６は、隣接する光反射部１５と光反射部１５との間の空気層により形成される。光反射部１５を形成するインク層は、後述するインク層１９と同一の組成のインクであり、光透過率が、たとえば２％のインク層とされている。図４では、光反射部１５は、後述するインク層１９と共に黒く塗りつぶされて示されている。出射面４に光反射部１５と光透過部１６が形成されることで、出射面４に入射した光の一部は、光反射部１５で傾斜面８側に反射され、他の一部の光は、光透過部１６から導光体５の外部に出射する。ここで、各光反射部１５の線幅は等しくされている。中心１７から端部１８に向かうに従い光透過部１６の面積が大きくなるように、隣り合う光反射部１５の間隔が広くなっている。したがって、光一部反射層１４は、その中心１７から端部１８に向かうに従い、光を透過する割合が大きくなっている。具体的には、図４に示す光透過部１６の線幅Ｗ１〜Ｗ４は、中心１７に最も近いのがＷ１であり、その次に近いのがＷ２、その次に近いのがＷ３、その次に近いのがＷ４となっているところ、それらの線幅寸法は、Ｗ１＜Ｗ２＜Ｗ３＜Ｗ４、となっている。
【００３８】
また、反射面６に形成された光一部反射層１４は、ＬＥＤ２から出射した光に対して所定の透過率を有するインク層１９により形成されている。このインク層１９は、光反射部１５と同様に顔料に白色の粉末を用いたインクであり、所定の透過率として、たとえば、２％の光透過率を有する。インク層１９を透過しない光のほとんどはインク層１９から傾斜面８の側に反射され、一部はインク層１９に吸収される。なお、インク層１９は、白色である。そのため、インク層１９を透過しない光は、一部についてはインク層１９に吸収される、ほとんどは反射される。
【００３９】
（発光装置１における光路）
図５は、ＬＥＤ２から照射された光のうち、Ｌ１からＬ５の光についての光路を示すものである。  
【００４０】
図４では図２に示す導光体５に付したハッチングを省略している。光路Ｌ１は、ＬＥＤ２から出射した光が反射面６を透過しインク層１９にて反射し、その後出射面４および傾斜面８にて全反射した後、出射面４から出射する光路である。この出射面４から出射する光は、導光体５の端部７方向へと屈折する。
【００４１】
光路Ｌ２は、ＬＥＤ２から出射した光のうち反射面６ではなく反射面６よりも外側の出射面４に直接照射され透過した光が、光反射部１５によって反射し、傾斜面８を透過し、反射板１１にて反射し、さらに傾斜面８から導光体５内に入射して、当初ＬＥＤ２から直接照射された出射面４の位置よりも外側の位置の出射面４から出射する光路である。この出射面４から出射する光は、導光体５の端部７方向へと屈折する。
【００４２】
光路Ｌ３，Ｌ４は、ＬＥＤ２から出射した光のうち直接反射面６およびインク層１９を透過して出射する光路である。また、光路Ｌ５は、ＬＥＤ２から出射した光のうち直接出射面４および光反射部１５を透過して出射する光路である。この出射面４から出射する光路Ｌ５の光は、導光体５の端部７方向へと屈折する。
【００４３】
図５にて図示を省略しているが、その他の光路として、以下のものがある。まず、ＬＥＤ２から出射した光のうち直接反射面６のみまたは出射面４のみを透過して出射する光路である。そして、ＬＥＤ２から出射した光のうち出射面４または反射面６に形成された光一部反射層１４にて反射し、傾斜面８または入射部３を透過し、反射板１１にて反射し、さらに傾斜面８または入射部３から導光体５内に入射して、出射面４から出射する光路である。そして、僅かではあるが、ＬＥＤ２から出射した光のうち光一部反射層１４にて反射し、ＬＥＤ２に戻ってくる光路もある。
【００４４】
（本発明の実施の形態によって得られる主な効果）
発光装置１は、導光体５の出射面４から出射する光の多くが導光体５の端部７側へと屈折している。そのため、出射面４全体から出射する光の照度の分布を均一に近づけることができる。また発光装置１は、入射部３から入射した光の一部を反射し一部を透過する反射面６を有している。反射面６により出射面４の広い範囲に光を分散できるため、出射面４から出射する光の照度の均一化を図ることができる。また、反射面６を設けることで、ＬＥＤ２から照射された光は、反射面６でＬＥＤ２が配置される方向とは異なる方向に反射される。そのため、ＬＥＤ２への戻り光を少なくすることができる、光の利用効率の向上を図ることができる。また、反射面６には、光一部反射層としてのインク層１９が備えられている。ＬＥＤ２から出射し、出射面４および反射面６に入射する光の光量は、光の入射部とＬＥＤ２との距離が短くなるほど多くなる。そのため、導光体５の外部に出射する光の照度は、反射面６側ほど高くなる傾向にある。しかしながら、反射面６にインク層１９を備えることで、反射面６から出射する光の光量を低下させる。これにより、出射面４および反射面６から出射する光の照度分布を均一に近づけることができる。
また、発光装置１の出射面４には、出射面４に入射した光の一部を透過し、他の一部を反射する光一部反射層１４が備えられている。出射面４の中央側（中心線Ｘ側）ほどＬＥＤ２との距離が短くなる。そのため、出射面４から出射する光の照度は中央側ほど高くなる傾向にある。しかしながら、出射面４に光一部反射層１４を設けることで、出射面４から出射する光の照度分布を均一に近づけることができる。
【００４５】
出射面４に形成された光一部反射層１４としての光反射部１５と光透過部１６はＬＥＤ２の発光面の中心を通る中心線Ｘ（仮想線）の周囲に同心円状に交互に配置されている。そのため、出射面４から出射される光の照度分布を中心線Ｘに対して対称なものとすることができる。また、ＬＥＤ２に近いほど同心円状に形成される隣接する光反射部１５の間隔が狭く、ＬＥＤ２から離れるにしたがって広くなっている。一方、ＬＥＤ２から照射され出射面４に入射する光の光量は、ＬＥＤ２に近い出射面４の中央側ほど多く、中央から離れるに従って少なくなる。そのため、そこで、隣接する光反射部１５の間隔を、ＬＥＤ２に近いほど狭く、ＬＥＤ２から離れるに従って広くすることで、ＬＥＤ２に近い出射面４の中央側は光を反射する割合を大きくし、逆に、ＬＥＤ２から離れるにしたがって光を反射する割合を少なくする。これにより、ＬＥＤ２から出射し出射面４に入射した光が光一部反射層１４から外部に出射する割合を、出射面４の中央から離れるに従って大きくすることができる。このため、出射面４から出射する光の照度分布の均一化を図ることができる。
【００４６】
また、反射面６に形成された光一部反射層１４は、所定の光透過率を有するインク層１９とされている。反射面６はＬＥＤ２との対向位置にあるため、反射面６に入射する光の量は出射面４に比べて格段に多い。特にＬＥＤ２の発光部の面積が広くなるほど、反射面６にて全反射せず透過してしまう光が多くなる。そのような反射面６にインク層１９を形成することで反射面６から出射する光の光量を減らしている。反射面６に形成されるインク層１９と出射面４に形成される光一部反射層１４とは、出射面４および反射面６から導光体５の外部に出射する光照度分布の均一化が図られるように、インク層１９と光反射部１５の光透過率や、光反射部１５および光透過部１６の線幅等が設定される。また、インク層１９で反射された光は、傾斜面８にて反射され出射面４に入射する。つまり、インク層１９を設けることで、光の透過を抑え反射面４から出射される光の照度との均一化を図ることができる共に、インク層１９を透過しなかった光を反射面４に入射させることができるため、ＬＥＤ２から照射された光の有効利用を図ることができる。また、光反射部１５についても同様に、光反射部１５で反射された光は傾斜面８にて反射され出射面４に入射する。そのため、ＬＥＤ２から照射された光の有効利用が図られている。また、光反射部１５をインク層１９と同様に、光透過性を有するインク層にて構成し、光透過率を適切に設定することで、出射面４から出射する光の照度の均一化をより好適に図ることが可能となる。
【００４７】
また、光一部反射層１４は、その中心１７から端部１８に向かうに従い、光を透過する割合が大きくなっている。具体的には、反射面６の部分にインク層１９が形成され、インク層１９の周囲には、インク層１９から離れるにしたがって光透過部１６の線幅が徐々に広くなるように光反射部１５が形成されている。インク層１９には、出射面４に形成される光一部反射層１４のように光透過部１６が形成されていない。そのため、出射面４に形成される光一部反射層１４に比べ光が透過される割合が小さい。一方、出射面４に形成される光一部反射層１４は、光透過部１６が形成されている。そのため、光透過部１６の線幅と本数に応じて光が透過する割合が大きくなる。導光体５から出射する光の照度は、ＬＥＤ２との距離が近い反射面６側が高くなり、ＬＥＤ２との距離が離れる出射面４の周囲に向かって低下する傾向にある。したがって、反射面６には光透過率が小さなインク層１９を形成し、出射面４には、中心１７から離れるにしたがって透過する光の割合が大きくなる光一部反射層１４を形成することで、反射面６および出射面４から出射する光の照度の均一化を図ることができる。
【００４８】
また、導光体５には光散乱導光体が含有されている。そのため、導光体５内で光を多重散乱させ、出射面４と全体の照度を均一に近づける。
【００４９】
（他の形態）
上述した本発明の実施の形態に係る発光装置１は、本発明の好適な形態の一例ではあるが、これに限定されるものではなく本発明の要旨を変更しない範囲において種々変形実施が可能である。
【００５０】
発光装置１は、光を発する発光素子であるＬＥＤ２と、ＬＥＤ２から発せられる光が入射する入射部３、および入射部３から入射した光の一部を反射し一部を透過する反射面６、およびＬＥＤ２が配置される側とは反対側に位置し反射面６で反射された光が出射される出射面４を有する導光体５と、出射面４および反射面６とは反対側の面から漏れ出る光を導光体５内に戻す反射部材としての反射板１１と、を有する発光装置１であって、反射面６には、反射面６に入射する光の一部を透過し、他の一部を反射する光一部反射層１４が備えられている。
【００５１】
しかし発光素子は、ＬＥＤ２に限定されず他の光源、たとえば光密度の高い放電光（キセノンランプ、水銀灯）等としても良い。また、反射部材は樹脂成形物からなる板状の白い反射板１１に限られず、鏡面状のもの等としても良い。
【００５２】
また、出射面６には、出射面６に入射する光の一部を透過し、他の一部を反射する光一部反射層１４が備えられている。しかし出射面４に形成された光反射部１５と光透過部１６とは、同心円状とされている必要はなく、たとえば環状の一部が途切れたＣの字状、４角形、６角形等の多角形状等とされていても良い。また、出射面４に形成された光一部反射層１４は、出射面４の中央から周囲に向けて光透過率が徐々に高くなるようにインク層を形成してもよい。具体的には、たとえば、インク層の厚さを出射面４の中央から周囲に向けて徐々に薄くすることで、出射面４の中央から周囲に向けて光透過率が徐々に高くなるインク層を形成することができる。さらに出射面４に形成された光一部反射層１４は、中心線Ｘを中心として対称に形成されている必要はなく、中心線Ｘに対して非対称に良い。光一部反射層１４を中心線Ｘに対して非対称に形成することで、導光体５から出射する光の照度分布に偏りを発生させることができる。
【００５３】
また、反射面６に形成された光一部反射層１４（インク層１９）は、光に対して透過性を有するインク層１９を有している。しかし、反射面６に形成された光一部反射層１４は円形のインク層１９とせず、出射面４に形成された光一部反射層１４と同様に光反射部１５と光透過部１６を交互に配列することで、所定の光透過率に形成しても良い。また、光反射部１５およびインク層１９は、顔料に白色の粉末を用いたインクを用いているが、両者の材質・色を異ならせても良い。また、光反射部１５およびインク層１９は、顔料を用いたインクとされているが染料を用いたインクとしても良い。また、光反射部１５およびインク層１９は、白色とされているが、黄色みがかった白色等、他の色としても良い。また、インク層１９は、その顔料濃度を高くすることで光の透過率を低め、顔料濃度を低くすることで光の透過率を高めることができるため、要求される光の透過率に調整することが可能である。光反射部１５は、インク層１９と同一の組成のインクにより形成し、光透過率を２％とする他、２％よりも高い光透過率としたり、逆に低い光透過率としてもよい。ＬＥＤ２の発光面の大きさや形状、発光面の輝度等に応じて、インク層１９の光透過率と、光透過部１５の光透過率と、光反射部１５および光透過部１６の線幅等を適宜に設定することにより、出射面４および反射面６から導光体５の外部に出射する光の照度分布の均一化を図ることができる。
【００５４】
また、光一部反射層１４は、その中心１７から端部１８に向かうに従い、光を透過する割合が大きくなっている。しかし、光一部反射層１４は、その中心１７から端部１８に向かうに従い、光を透過する割合が小さくなっていたり、光を透過する割合が光一部反射層１４の全面に渡って等しくされていても良い。また、図４に示すように、発光装置１は、各光反射部１５の線幅を等しくし、各光透過部１６の線幅を変えることで、光一部反射層１４の中心１７から端部１８に向かうに従い、光の透過する割合を大きくている。しかし発光装置１は、各光反射部１５の線幅を変え、各光透過部１６の線幅を等しくすることで、光一部反射層１４の中心１７から端部１８に向かうに従い、光の透過する割合を大きくまたは小さくしても良い。さらに発光装置１は、各光反射部１５の線幅および各光透過部１６の線幅を変えることとしても良い。また、光一部反射層１４の中心１７から端部１８に向かうに従い、光の透過する割合を大きくするためには、光一部反射層１４の全体をインク層１９のようなもので形成し、インク顔料等の濃度を中心１７から端部１８に向かうに従い高くする、インク層１９の厚みを中心１７から端部１８に向かうに従い大きくする等によって実現しても良い。
【００５５】
また、導光体５には光散乱導光体が含有されている。しかし、光散乱導光体は必須の構成要素ではないため導光体５に含有させないこととしても良い。
【００５６】
また、導光体５には、ＰＭＭＡ製のものを用いているが、その他のアクリル酸エステルあるいはメタクリル酸エステルの重合体で、透明性の高い非晶質の合成樹脂であるアクリル樹脂、ポリスチレン、ポリカーボネート等の他の透光性樹脂やガラス等を材質としたものを用いることができる。
【符号の説明】
【００５７】
１  発光装置
２  ＬＥＤ（発光素子）
３  入射部
４  出射面
５  導光体
６  反射面
１１  反射板（反射部材の一部）
１２  反射面（反射部材の一部）
１４  光一部反射層
１９  インク層（光一部反射層の一部）
【図１】
2011249141.tif 000009
【図２】
2011249141.tif 000010
【図３】
2011249141.tif 000011
【図４】
2011249141.tif 000012
【図５】
2011249141.tif 000013